(57)【要約】【課題】各種メッセージを何時でも外部へ表示することができる携帯型表示装置を提供する。【解決手段】携帯型表示装置は、携帯型部材１、透明収容体２、表示回路基板３、スイッチユニット４及び給電ユニット５を備える。携帯型部材１は、ユーザが装着し、少なくとも１つの第１の着脱可能固定ユニット１１を有する。透明収容体２は、少なくとも１つの第２の着脱可能固定ユニット２１１を有する。第２の着脱可能固定ユニット２１１は、第１の着脱可能固定ユニット１１に着脱可能に固定される。表示回路基板３は、透明収容体２内に配設されるとともに、表示ユニット３１及び制御ユニットを有する。表示ユニット３１は、制御ユニットと電気的に接続される。スイッチユニット４及び給電ユニット５は、制御ユニットと電気的に接続される。【選択図】図１
0003215852.tif 000002
【実用新案登録請求の範囲】
【請求項１】
携帯型部材、透明収容体、表示回路基板、スイッチユニット及び給電ユニットを備えた携帯型表示装置であって、
前記携帯型部材は、ユーザが装着し、少なくとも１つの第１の着脱可能固定ユニットを有し、
前記透明収容体は、少なくとも１つの第２の着脱可能固定ユニットを有し、前記第２の着脱可能固定ユニットは、前記第１の着脱可能固定ユニットに着脱可能に固定され、
前記表示回路基板は、前記透明収容体内に配設されるとともに、表示ユニット及び制御ユニットを有し、前記表示ユニットは、前記制御ユニットと電気的に接続され、前記制御ユニットは、メモリユニット及び伝送ユニットを有し、
前記スイッチユニットは、前記制御ユニットと電気的に接続され、
前記給電ユニットは、前記制御ユニットと電気的に接続されることを特徴とする携帯型表示装置。
【請求項２】
前記透明収容体は可撓性透明収容体であり、
前記表示回路基板は可撓性表示回路基板であることを特徴とする請求項１に記載の携帯型表示装置。
【請求項３】
前記伝送ユニットは、有線伝送ユニット及び無線伝送ユニットの一方又は両方を有し、
前記有線伝送ユニットはＱＲコード走査装置に有線接続されるか、前記無線伝送ユニットは前記ＱＲコード走査装置に無線接続されることを特徴とする請求項１に記載の携帯型表示装置。
【請求項４】
前記スイッチユニット及び前記給電ユニットは、前記透明収容体の外側に配設されることを特徴とする請求項１に記載の携帯型表示装置。
【考案の詳細な説明】
【技術分野】
【０００１】
本考案は、携帯型表示装置に関し、特に、各種メッセージを何時でも外部へ表示することができる携帯型表示装置に関する。
【背景技術】
【０００２】
従来の表示装置は、所定位置に固定して各種メッセージ（例えば、娯楽、広告、警告などのメッセージ）を大衆に表示することができたが、従来の表示装置は位置が固定されていたため、従来の表示装置が表示する各種メッセージは、所定の場所にいる民衆にしか伝えることができず、メッセージの伝達能力には限界があった。
【０００３】
そのため、何時でも外部へ向けて各種メッセージを表示することができる携帯型表示装置が求められていた。
【０００４】
こうした現状に鑑み、本考案者は鋭意研究を重ねた結果、本考案の携帯型表示装置を完成させたものである。
【考案の概要】
【考案が解決しようとする課題】
【０００５】
本考案の目的は、各種メッセージを何時でも外部へ表示することができる携帯型表示装置を提供することにある。
【課題を解決するための手段】
【０００６】
上記課題を解決するために、本考案の第１の形態によれば、携帯型部材、透明収容体、表示回路基板、スイッチユニット及び給電ユニットを備えた携帯型表示装置であって、前記携帯型部材は、ユーザが装着し、少なくとも１つの第１の着脱可能固定ユニットを有し、前記透明収容体は、少なくとも１つの第２の着脱可能固定ユニットを有し、前記第２の着脱可能固定ユニットは、前記第１の着脱可能固定ユニットに着脱可能に固定され、前記表示回路基板は、前記透明収容体内に配設されるとともに、表示ユニット及び制御ユニットを有し、前記表示ユニットは、前記制御ユニットと電気的に接続され、前記制御ユニットは、メモリユニット及び伝送ユニットを有し、前記スイッチユニットは、前記制御ユニットと電気的に接続され、前記給電ユニットは、前記制御ユニットと電気的に接続されることを特徴とする携帯型表示装置が提供される。
【０００７】
前記透明収容体は可撓性透明収容体であり、前記表示回路基板は可撓性表示回路基板であることが好ましい。
【０００８】
前記伝送ユニットは、有線伝送ユニット及び無線伝送ユニットの一方又は両方を有し、前記有線伝送ユニットはＱＲコード（登録商標）走査装置に有線接続されるか、前記無線伝送ユニットは前記ＱＲコード走査装置に無線接続されることが好ましい。
【０００９】
前記スイッチユニット及び前記給電ユニットは、前記透明収容体の外側に配設されることが好ましい。
【考案の効果】
【００１０】
本考案の携帯型表示装置は、各種メッセージを何時でも外部へ表示することができる。
【図面の簡単な説明】
【００１１】
【図１】図１は、本考案の一実施形態に係る携帯型表示装置を示す分解斜視図である。
【図２】図２は、本考案の一実施形態に係る携帯型表示装置を示す斜視図である。
【図３】図３は、本考案の一実施形態に係る携帯型表示装置の回路基板を示すブロック図である。
【考案を実施するための形態】
【００１２】
以下、本考案の目的、特徴及び効果をより分かりやすくするために、具体的な実施形態について図に基づいて詳しく説明する。
【００１３】
図１〜図３を参照する。図１〜図３に示すように、本考案の一実施形態に係る携帯型表示装置は、少なくとも携帯型部材１、透明収容体２、表示回路基板３、スイッチユニット４及び給電ユニット５から構成されてなる。ユーザ（図示せず）は、携帯型部材１を装着することができる。携帯型部材１は、帽子、衣服、カバン、手提げカバンなどでもよく、少なくとも１つの第１の着脱可能固定ユニット１１を有する。透明収容体２は、筐体２１及び蓋体２２を有する上、少なくとも１つの第２の着脱可能固定ユニット２１１を有してもよい。第２の着脱可能固定ユニット２１１は、筐体２１に設けられてもよい。第２の着脱可能固定ユニット２１１は、第１の着脱可能固定ユニット１１に着脱可能に固定されてもよい。第１の着脱可能固定ユニット１１及び第２の着脱可能固定ユニット２１１は、スナップボタン群、ボタン群、線ファスナ群、面ファスナ群などでもよい。表示回路基板３は、透明収容体２内に配設される。表示回路基板３を透明収容体２の筐体２１の収容槽２１２内に設置した後、蓋体２２及びコロイド（図示せず）により表示回路基板３を筐体２１内に封止してもよい。表示回路基板３は、表示ユニット３１及び制御ユニット３２を有する。表示ユニット３１は、液晶表示装置又は発光ダイオード表示装置でもよく、表示回路基板３の前面に設けられてもよい。制御ユニット３２は、コントロールチップでもよい上、表示回路基板３の後面に設けられてもよい。表示ユニット３１は、制御ユニット３２と電気的に接続される。制御ユニット３２は、メモリユニット３２１及び伝送ユニット３２２を有する。メモリユニット３２１は、メモリでもよい。伝送ユニット３２２は伝送接続ポートでもよい。スイッチユニット４は、制御ユニット３２と電気的に接続され、表示ユニット３１のオン又はオフを行う。給電ユニット５は、一次電池又は二次電池でもよく、電気コネクタ６を介して制御ユニット３２と電気的に接続され、上述した電子部品に給電する。
【００１４】
上述したように、本実施形態の携帯型表示装置は、表示ユニット３１に表示する各種メッセージ（例えば、娯楽、広告、警告などのメッセージ）がメモリユニット３２１に記憶された後、ユーザは、スイッチユニット４を利用して表示ユニット３１をオンし、本実施形態の携帯型表示装置は、何時でもメモリユニット３２１内の各種メッセージを表示ユニット３１を介して外部に表示してもよい。また、本実施形態の携帯型表示装置は、外部から伝送ユニット３２２に新しいメッセージを伝送した後、新しいメッセージをメモリユニット３２１へ伝送して記憶し、表示ユニット３１に表示するメッセージを更新する。
【００１５】
図１及び図２を参照する。図１及び図２に示すように、本実施形態の他の実施形態に係る携帯型表示装置の透明収容体２は、可撓性透明収容体でもよい。表示回路基板３は、可撓性表示回路基板でもよい。また、本実施形態の透明収容体２及び表示回路基板３は、異なる曲面を有する携帯型部材１に貼り合わされてもよい。
【００１６】
図３を参照する。図３に示すように、本考案の他の実施形態に係る携帯型表示装置の伝送ユニット３２２は、有線伝送ユニット３２２１及び無線伝送ユニット３２２２の一方又は両方を有する。有線伝送ユニット３２２１はＱＲコード（ＱＲ  Ｃｏｄｅ）走査装置７に有線接続されるか、無線伝送ユニット３２２２はＱＲコード走査装置７に無線接続される。また、本実施形態の携帯型表示装置は、ＱＲコード発生装置（図示せず）を介し、新しいメッセージをＱＲコードに変換した後、ＱＲコード走査装置７によりＱＲコードを走査して新しいメッセージを得てから、ＱＲコード走査装置７が新しいメッセージを有線伝送ユニット３２２１に有線接続するか、無線伝送ユニット３２２２に無線接続し、メモリユニット３２１内に記憶したメッセージを更新し、何時でも表示ユニット３１から外部に対して新しいメッセージを表示することができる。
【００１７】
図１及び図２を参照する。図１及び図２に示すように、本考案の他の実施形態に係る携帯型表示装置は、スイッチユニット４及び給電ユニット５を透明収容体２の外部へ設置してもよい。本実施形態のスイッチユニット４及び給電ユニット５の電線を透明収容体２の筐体２１の貫通孔２１３に挿通した後、コロイドで貫通孔２１３を封止し、スイッチユニット４を携帯型部材１の外側に配設し、給電ユニット５を携帯型部材１内に配設してもよい。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１  携帯型部材
２  透明収容体
３  表示回路基板
４  スイッチユニット
５  給電ユニット
６  電気コネクタ
７  ＱＲコード走査装置
１１  第１の着脱可能固定ユニット
２１  筐体
２２  蓋体
３１  表示ユニット
３２  制御ユニット
２１１  第２の着脱可能固定ユニット
２１２  収容槽
２１３  貫通孔
３２１  メモリユニット
３２２  伝送ユニット
３２２１  有線伝送ユニット
３２２２  無線伝送ユニット
【図１】
0003215852.tif 000003
【図２】
0003215852.tif 000004
【図３】
0003215852.tif 000005